(57)【要約】【課題】河口から供給される養分は、小魚の餌のみならず、一般に、河口から離れた場所で養殖されている牡蛎の補助餌としても有効であると考えられることから、それらの養分を使った牡蛎の養殖法およびそれに使用する補助餌を提供する。【解決手段】リグニン１ａまたは糖蜜１ｂあるいはその両方を含むゲル状の植物の水溶性養分から成る補助餌１を、かき筏５から吊し、かき筏５からバンセン６で吊した牡蛎Ｋの近傍に配置し、当該補助餌１を僅かずつ海水Ｓに自然溶解させる。補助餌１は僅かずつ海水Ｓに供給され、植物の水溶性養分の働きによって牡蛎の成長を促すことができる。【選択図】      図１
2006174779.tif 000002
【特許請求の範囲】
【請求項１】
植物の水溶性養分を含む補助餌（１）を、牡蛎（Ｋ）の近傍に配置し、前記補助餌を僅かずつ海水（Ｓ）に供給してなることを特徴とする牡蛎の養殖法。
【請求項２】
植物の水溶性養分を含むゲル状の補助餌（１）を、かき筏（５）から吊し、前記かき筏からバンセン（６）で吊した牡蛎（Ｋ）の近傍に配置し、前記補助餌を僅かずつ海水（Ｓ）に自然溶解させてなることを特徴とする牡蛎の養殖法。
【請求項３】
前記補助餌（１）を、通液性の有る袋（７）に収納してなることを特徴とする請求項１または２に記載の牡蛎の養殖法。
【請求項４】
補助餌（１）を、牡蛎（Ｋ）の近傍に配置し、僅かずつ海水（Ｓ）に供給してなる牡蛎の養殖法における前記補助餌を、植物の水溶性養分を含む材料から構成したことを特徴とする牡蛎の養殖法に使用する補助餌。
【請求項５】
補助餌（１）を、牡蛎（Ｋ）の近傍に配置し、僅かずつ海水（Ｓ）に供給してなる牡蛎の養殖法に使用する前記補助餌を、植物の水溶性養分および寒天（１ｄ）で構成し、ゲル状としてなることを特徴とする牡蛎の養殖法に使用する補助餌。
【請求項６】
前記寒天（１ｄ）に代え、または、前記寒天と共に、ゼラチン（１ｅ）を使用してなることを特徴とする請求項５に記載の牡蛎の養殖法に使用する補助餌。
【発明の詳細な説明】
【技術分野】
【０００１】
本発明は、牡蛎の養殖法および当該養殖法に用いる補助的な餌（以下、補助餌と記す）に関するものである。
【背景技術】
【０００２】
地上の樹木や草即ち植物の養分が溶け込んだ水は、河口を通って海に流れるため、河口付近の海水には沢山の養分が含まれている。海水中の養分が豊富であると、植物性プランクトンが大量に発生し、この植物性プランクトンを食べる動物性プランクトンも大量に発生する。
【０００３】
また、こうしたプランクトンが発生すると藻が生え、その藻は光合成によって酸素を作り、海水を活性化する。また、そのプランクトンを食べる小魚が集まってきて、海水を浄化する。
【発明の開示】
【発明が解決しようとする課題】
【０００４】
本発明者は、こうした自然界の生態系を熟知した上で、河口から供給される養分は、小魚の餌のみならず、一般に、河口から離れた場所で養殖されている牡蛎の補助餌としても有効ではないかと考え、本発明を創案するに至った。
【課題を解決するための手段】
【０００５】
図１および図２を参照して説明する。請求項１に記載の牡蛎の養殖法は、植物の水溶性養分を含む補助餌１を、牡蛎Ｋの近傍に配置し、前記補助餌１を僅かずつ海水Ｓに供給することを特徴とするものである。
【０００６】
請求項２に記載の牡蛎の養殖法は、植物の水溶性養分を含むゲル状の補助餌１をかき筏５から吊し、前記かき筏５からバンセン６で吊した牡蛎Ｋの近傍に配置し、前記補助餌１を僅かずつ海水Ｓに自然溶解させてなることを特徴とするものである。
【０００７】
請求項３に記載の牡蛎の養殖法は、請求項１または２に記載の発明において、補助餌１を通液性の有る袋７に収納してなることを特徴とするものである。
【０００８】
請求項４に記載の牡蛎の養殖法に使用する補助餌１は、補助餌１を牡蛎Ｋの近傍に配置し、僅かずつ海水Ｓに供給してなる牡蛎の養殖法における前記補助餌１を、少なくとも、植物の水溶性養分を含む材料から構成したことを特徴とするものである。
【０００９】
請求項５に記載の牡蛎の養殖法に使用する補助餌１は、補助餌１を牡蛎Ｋの近傍に配置し、僅かずつ海水Ｓに供給してなる牡蛎の養殖法に使用する前記補助餌１を、少なくとも、植物の水溶性養分および寒天１ｄで構成し、ゲル状としてなることを特徴とするものである。
【００１０】
請求項６に記載の牡蛎の養殖法に使用する補助餌１は、請求項５に記載の発明において、寒天１ｄに代え、または、寒天と共に、ゼラチン１ｅを使用してなることを特徴とするものである。
【発明の効果】
【００１１】
請求項１に記載の牡蛎の養殖法は、植物の水溶性養分を含む補助餌１を、牡蛎Ｋの近傍に配置し、前記補助餌１を僅かずつ海水Ｓに供給するので、この植物の水溶性養分の働きによって牡蛎の成長を促すことができる。
【００１２】
請求項２に記載の牡蛎の養殖法は、植物の水溶性養分を含むゲル状の補助餌１を、かき筏５から吊し、前記かき筏５からバンセン６で吊した牡蛎Ｋの近傍に配置し、前記補助餌１を僅かずつ海水Ｓに自然溶解させたので、請求項１に記載の発明と同様に、牡蛎Ｋの成長を著しく促すことができる。
【００１３】
また、補助餌１をゲル状としたので、良好に、僅かずつ海水Ｓに自然溶解させることができる。従って、長期間にわたって牡蛎Ｋの近傍に植物の水溶性養分等を供給することができ、牡蛎Ｋの成長を安定して促すことができる。また、補助餌１をかき筏５から吊しているので、その取付けや取外し作業をきわめて容易に行うことができ、作業効率の円滑化を図ることができる。
【００１４】
請求項３に記載の牡蛎の養殖法は、請求項１および２に記載の発明と同様に、牡蛎Ｋの養殖を著しく促すことができる。また、補助餌１を、通液性の有る袋７に収納しているので、僅かな定量づつ安定して海水Ｓに溶解させることができる。この細孔の数や大きさは、その定量に応じて適宜設定することができ、数を少なくし、かつ、小さくすることによって長期間その効果を持続させることができる。
【００１５】
請求項４に記載の牡蛎の養殖法に使用する補助餌１は、ゲル状の補助餌１を牡蛎Ｋの近傍に配置し、僅かずつ海水Ｓに自然溶解させてなる方法において、その補助餌１を、少なくとも、植物の水溶性養分を含む材料から構成しているので、当該リグニン１ａまたは糖蜜１ｂの働きによって、牡蛎Ｋの成長を著しく促すことができる。
【００１６】
請求項５に記載の牡蛎の養殖法に使用する補助餌１は、ゲル状の補助餌１を牡蛎Ｋの近傍に配置し、僅かずつ海水Ｓに自然溶解させてなる補法において、その補助餌１を、少なくとも、植物の水溶性養分および寒天１ｄで構成し、ゲル状としたので、リグニン１ａや糖蜜１ｂを僅かずつ海水Ｓに自然溶解させることができる。従って、長期間にわたって補助餌１の効果を持続させることができ、牡蛎Ｋの成長を安定して促すことができる。
【００１７】
請求項６に記載の牡蛎の養殖法に使用する補助餌１は、請求項５に記載の発明において、寒天１ｄに代え、または、寒天１ｄと共に、ゼラチン１ｅを使用しているので、当該ゼラチン１ｅが小魚の餌にもなり、その小魚のはたらきによって海水Ｓが活性化され、牡蛎Ｋの成長をさらに促すことができる。
【発明を実施するための最良の形態】
【００１８】
本発明に係る牡蛎の養殖法の実施形態を、図１および図２に示す。この養殖法では、同じく本発明に係る補助餌１を使用している。
【００１９】
この牡蛎の養殖は、複数の補助餌１を、番線３を介してかき筏５から吊し、同じかき筏５からバンセン６で吊した牡蛎Ｋから約５ｍ離れた場所に配置している。Ｔは海面である。なお、番線３の長さは約１０ｍとし、補助餌１は約２ｍ間隔で吊している。また、番線３の下端部には重り４を取付け、補助餌１を安定した姿勢で海水Ｓ中に配置するようにしている。
【００２０】
この牡蛎の養殖法では、補助餌１に含まれる植物の水溶性養分の働きによってプランクトンが豊富に発生し、そのプランクトンに群がる小魚の影響で海水Ｓが活性化され、牡蛎Ｋの成長が著しく促される。その結果、通常の養殖法で成長した牡蛎と比較して、大きな牡蛎Ｋを養殖することができる。
【００２１】
また、補助餌１をゲル状としているので、植物の水溶性養分を海水Ｓ中に僅かずつ自然溶解させることができ、長期間にわたって当該植物の水溶性養分を供給することができる。従って、牡蛎Ｋを安定して成長させることができる。
【００２２】
さらに、本実施形態では、補助餌１を多数の細孔を設けた通液性の有る袋７に収納して吊している。こうすることによって、補助餌１を僅かな定量ずつ海水Ｓに溶解させることができるので、その効果をさらに長期間にわたって維持させることができる。
【実施例】
【００２３】
本発明者は、このことを実験により確認した。本発明者は、樹木を絞って得られたリグニン１ａと寒天１ｄと水１ｃとを容器２に入れ、ゲル状の補助餌１を作り、出来た補助餌１を容器２から取出したのち、通液性の有る袋７に入れた。この補助餌１入りの袋を番線３を介してかき筏５から吊し、同じかき筏５からバンセン６によって吊されている牡蛎の近傍（５ｍ程度）に配置した。また、同時に、これまで有効であるとされている、鉄を溶解した際に生じる鉱滓で製造したチップを山状に盛って広島市近辺の海中に配置した。さらに、何らの補助餌１を与えない通常の牡蛎も実験の対象とした。そして、この状態を２ヶ月間続けた。
【００２４】
その結果、本発明による養殖法で養殖した牡蛎Ｋは、何らの補助餌１を与えない通常の牡蛎は勿論、チップを使用して養殖した牡蛎と比較して、長さ寸法で１．１〜１．３倍大きく成長した。本発明者は、これは、リグニン１ａの働きによってプランクトンが豊富に発生したこと、および、そのプランクトンに群がる小魚の影響で海水Ｓが活性化されたためであると考えられる。
【００２５】
なお、リグニン１ａは、本来、紙を作るパルプ工業で絞ったカスとして発生していたが、現在は、接着剤やコンクリートへ混合する物質として、木材から製造されており、比較的廉価に入手することができる。従って、この牡蛎の養殖法は、廉価なコストで実施することができ、きわめて実用的である。
【００２６】
なお、リグニン１ａに代えて、糖蜜１ｂを使用した場合にも同様の結果を得ることができた。
【図面の簡単な説明】
【００２７】
【図１】本発明に係る牡蛎の養殖法の実施形態を示す概略正面図である。
【図２】本発明に係る補助餌の製造法の一実施形態を示す説明図である。
【符号の説明】
【００２８】
１      補助餌
１ａ    リグニン
１ｂ    糖蜜
１ｃ    水
１ｄ    寒天
１ｅ    ゼラチン
２      容器
３      番線
４      重り
５      かき筏
６      バンセン
７      袋
Ｋ      牡蛎
Ｓ      海水
Ｔ      海面
【図１】
2006174779.tif 000003
【図２】
2006174779.tif 000004